(57)【要約】【課題】凸曲面形の加熱板を有する炊飯器において、加熱板上に掛かった水の排水穴等が加熱板の外周縁から見えないようにすることである。【解決手段】外容器４の底面に加熱板５の外径より小径の凹部１５を設けることにより周壁と該凹部１５との間に前記加熱板５の外周縁下方に臨む段部１６を形成し、前記凹部１５の基準底面１８にヒーター端子挿通穴１９を設け、該挿通穴１９に上向き立ち上がり部２２を設け、前記挿通穴１９を避けた位置に集水部２３を設け、該集水部２３に排水穴２４を設けた構成とした。【選択図】  図１
2004357783.tif 000002
【特許請求の範囲】
【請求項１】
胴部内部に外容器を取付けるとともにその外容器の底面に凸曲面形の加熱面を有する加熱板を固定し、前記外容器の内部に炊飯釜を出し入れ自在に収納してなる炊飯器において、前記外容器の底面に前記加熱板の外径より小径の凹部を設けることにより周壁と該凹部との間に前記加熱板の外周縁下方に臨む段部を形成し、前記凹部の基準底面にヒーター端子挿通穴を設け、該ヒーター端子挿通穴の周辺に上向き立ち上がり部を設け、前記ヒーター端子挿通穴を避けた位置に前記基準底面より低い集水部を前記凹部周壁に沿って設け、該集水部に排水穴を設けたことを特徴とする炊飯器。
【請求項２】
前記凹部の底面中央部に前記基準底面より高い凸面部を設け、その凸面部に温度センサーの取付け穴を設けたことを特徴とする請求項１に記載の炊飯器。
【請求項３】
前記温度センサーの取付け穴の周辺に上向きの立ち上がり部を設けたことを特徴とする請求項２に記載の炊飯器。
【発明の詳細な説明】
【０００１】
【発明の属する技術分野】
この発明は炊飯器に関し、特に加熱板に対する注水対策に関するものである。
【０００２】
【従来の技術】
一般に、炊飯器はその胴部内部に外容器を取付け、その外容器の底面に加熱板を固定し、前記外容器の内部に収納した炊飯釜を前記の加熱板上に設置する構造になっている。前記の加熱板はその中央部が凹入した凹曲面形のものと、中央部が膨らんだ凸曲面形とがある（凸曲面形のものについて特許文献１参照）。
【０００３】
前記の加熱板は炊飯釜を外した状態では外容器底面に露出し、その状態で不注意等により加熱板に水を掛けることがあると、その水は凹曲面形のものでは中央部に集められ、中央部の温度センサー周辺の穴から外部に排出される。これに対して、凸曲面形のものは水が加熱板外周縁から外容器底面上に落下するため、外容器底面の周壁に沿った部分に比較的大きな複数の排水穴を設ける必要があった。
【０００４】
【特許文献１】
特開平７−８２５２号公報（第１図）
【０００５】
【発明が解決しようとする課題】
しかし、前記のような排水穴を外容器底面に設けると、炊飯釜を外した際に加熱板周辺からその排水穴が見えることがある。排水穴は機能上必要なものであるが、部分的であっても加熱板外周縁より外側に露出していると、その部分からゴミ等が落ち込む問題があるとともに、デザイン的にも好ましくない。
【０００６】
そこで、この発明は凸曲面形の加熱板を使用する場合において、前記の排水穴に関する不都合を除去することを課題とする。
【０００７】
【課題を解決するための手段】
前記の課題を解決するために、この発明は、胴部内部に外容器を取付けるとともにその外容器の底面に凸曲面形の加熱面を有する加熱板を固定し、前記外容器の内部に炊飯釜を出し入れ自在に収納してなる炊飯器において、前記外容器の底面に前記加熱板の外径より小径の凹部を設けることにより周壁と該凹部との間に前記加熱板の外周縁下方に臨む段部を形成し、前記凹部の基準底面にヒーター端子挿通穴を設け、該ヒーター端子挿通穴の周辺に上向き立ち上がり部を設け、前記ヒーター端子挿通穴を避けた位置に前記基準底面より低い集水部を前記凹部周壁に沿って設け、該集水部に排水穴を設けた構成を採用した。
【０００８】
上記の構成によると、加熱板の外周縁下方には外容器の段部のみが露出し、排水穴は加熱板に隠れて外部に露出することがない。加熱板に掛かった水はその外周縁から前記段部上に落下し、さらに凹部の周壁を伝って直接集水部に又は基準底面を経て集水部に集められ、その集水部の排水穴から外部に排出される。なお、基準底面上の水がヒーター端子に接触することは、ヒーター端子挿通穴周辺に設けた立ち上がり部により防止される。
【０００９】
前記凹部の底面中央部に前記基準底面より高い凸面部を設け、その凸面部に温度センサーの取付け穴を設けた構成を採用すると、基準底面上の水がセンサー端子に接触することが避けられる。
【００１０】
なお、前記温度センサーの取付け穴の周辺に上向きの立ち上がり部を設けた構成を採用すると、温度センサーに水が接触することが防止される。
【００１１】
【発明の実施の形態】
以下、この発明の実施の形態を添付図面に基づいて説明する。図１に示すように、実施形態の炊飯器は、炊飯器本体１に蓋２を開閉自在に取付けるとともに、該炊飯器本体１の胴部３の内部に金属製の外容器４が取付けられる。その外容器４の底部に加熱板５が固定される。加熱板５はその上面が緩やかな円弧を持った凸曲面形のものである。加熱板５の内部にはヒーター６が埋め込まれ、そのヒーター６の端子７、７が下向きに突き出され（図２参照）、その端子７，７には、図示省略の電源リード線が接続される。また、加熱板５は、その下面に突設したボス部８に外容器４下面からねじ込んだビス９によりその底面に固定される。前記の外容器４の内部に収納された炊飯釜１１の底面が加熱板５上に着脱自在に設置される。
【００１２】
前記の蓋２には内蓋１２が取付けられ、その外周縁に装着した蓋パッキン１３が炊飯釜１１の開口周縁部をシールする。内蓋１２には蒸気穴セット１４が取付けられる。
【００１３】
図２に示すように、前記の外容器４はその底面の中央部に加熱板５の外径より小径の凹部１５が形成され、その凹部１５と外容器４の周壁との間に一定幅の環状の段部１６が形成される。段部１６の幅方向の中央部分が加熱板５の外周縁の下方に臨む（図１参照）。その段部１６は内方の凹部１５に向かって緩やかに下降している。
【００１４】
前記の凹部１５の底面には、ヒーター６の端子７，７に対応してヒーター端子挿通穴１９、１９が設けられる。そのヒーター端子挿通穴１９、１９を設けた底面部分を基準底面１８と称することとする。ヒーター端子挿通穴１９の一つは、図２、図３に示すように、凹部１５の周壁よりも部分的に外方に突き出した膨らみ部２１を有する。凹部１５の周壁はその膨らみ部２１の分だけ凹むが、加熱板５の外径の範囲内である。各ヒーター端子挿通穴１９にはバーリング等による上向きの立ち上がり部２２が形成される。
【００１５】
前記のヒーター端子挿通穴１９、１９の部分を避けて凹部１５の周壁に沿って円弧状の集水部２３が基準底面１８より凹入して形成される。その集水部２３の底面２箇所に排水穴２４、２４が設けられる。
【００１６】
また、前記凹部１５の底面中央部に温度センサー２５（図１参照）の取付け穴２６が設けられる。その取付け穴２６の周りは基準底面１８より一段高い凸面部２７となっており、その凸面部２７は基準底面１８に囲まれている。前記の取付け穴２６にもバーリング等による立ち上がり部３０が設けられ、その取付け穴２６を通して取付けられた温度センサー２５は、図１に示すように、加熱板５の中央部に設けられたセンサー穴２８からその表面に露出し、炊飯釜１１の底面に押し当てられる。
【００１７】
前記加熱板５の下面の外周縁に寄った部分に、全周に渡り数ヶ所の小突起２９が設けられ、加熱板５の取付け状態において各小突起２９が外容器４の段部１６に接し、加熱板５に作用する荷重を分散支持する。
【００１８】
前記の温度センサー２５の外周面に設けたつば３１と前記凸面部２７との間にセンサーばね３２が介在され、その弾力により該温度センサー２５を炊飯釜１１の底面に押し当てるとともに、該温度センサー２５の外周面に設けた突起３３を凸面部２７の下面に係合して上方への外れを防止している。また、胴部３の内底面に、前記温度センサー２５の底面に所要の間隔をおいて規制リブ３４を設け、温度センサー２５が強制的に押し込まれた場合に一定以上の押し込みを規制するようにしている。この規制リブ３４に代えて、図４（ｃ）に示すように、取付け穴２６の前記立ち上がり部３０より背の高い規制兼用立ち上がり部３０’を設け、その規制リブ兼用の立ち上がり部３０’により、一定以上の押し込みを規制するようにしてもよい。
【００１９】
温度センサー２５に関し、前記のような規制リブ３４や規制兼用の立ち上がり部３０’を設け、温度センサー２５が強制的に押し込まれ、そのセンサー穴２８の内部に引っ掛かる不都合が防止される。
【００２０】
実施形態の炊飯器は以上のようなものであり、非炊飯状態において炊飯釜１１を外した際、不注意等によって加熱板５に水が掛かることがあると、中央部分に掛かった水はセンサー穴２８を通って外容器４の底面の凸面部２７上に落下し、その周囲の基準底面１８から集水部２３に集められ、排水穴２４から外部に排出される。また、加熱板５の中央部の外側に掛かった水は、加熱板５の外周縁から外容器４の段部１６上に落下し、凹部１５の周壁を経て集水部２３に直接、または周壁から基準底面１８を経て集水部２３に集められ、前記の場合と同様に排水穴２４から排出される。このとき基準底面１８上の水がヒーター端子挿通穴１９、１９に入ることは立ち上がり部２２により防止され、また、凸面部２７、立ち上がり部３０（又は規制兼用の立ち上がり部３０’）の存在により温度センサー２５の取付け穴２６に水が入ることもない。
【００２１】
【発明の効果】
以上のように、この発明によれば、凸曲面形の加熱板を外容器の底面に設けた炊飯器において、外容器の底部に設けた段部上に加熱板の外周縁が臨むようにしたので、加熱板の中央部の外側に掛かった水はその外周縁から段部上に落下し、さらに凹部底面の集水部に集められその排水穴から外部に排出される。また、その凹部の周壁や排水部は全て加熱板の下方に位置することになるので、炊飯釜を外した際に加熱板の外周縁において見えるものは前記の段部のみであり、デザイン的にも優れたものとなる。
【００２２】
さらに、前記の集水部をヒーター端子挿通穴が存在する基準底面より低い位置に形成したので、ヒーター端子挿通穴に水が入り難くなり、またその挿通穴の周辺にバーリング等による立ち上がり部を設けたことにより、該挿通穴に水が浸入することを確実に防止することができる。同様に、温度センサーの取付け穴の周辺にもバーリング等による立ち上がり部を設けたことにより、該取付け穴に水が浸入することを確実に防止することができる。
【図面の簡単な説明】
【図１】実施形態の炊飯器の断面図
【図２】同上の外容器部分の分解斜視図
【図３】同上の外容器部分の平面図
【図４】（ａ）同上の温度センサー部分の断面図
（ｂ）（ａ）図のｂ−ｂ線の断面図
（ｃ）温度センサー部分の変形例の断面図
【符号の説明】
１  炊飯器本体
２  蓋
３  胴部
４  外容器
５  加熱板
６  ヒーター
７  端子
８  ボス部
９  ビス
１１  炊飯釜
１２  内蓋
１３  蓋パッキン
１４  蒸気穴セット
１５  凹部
１６  段部
１８  基準底面
１９  挿通穴
２１  膨らみ部
２２  立ち上がり部
２３  集水部
２４  排水穴
２５  温度センサー
２６  取付け穴
２７  凸面部
２８  センサー穴
２９  小突起
３０、３０’  立ち上がり部
３１  つば
３２  センサーばね
３３  突起
３４  規制リブ
【図１】
2004357783.tif 000003
【図２】
2004357783.tif 000004
【図３】
2004357783.tif 000005
【図４】
2004357783.tif 000006